(57)【要約】  荷物を、詳細には自動車および／または品物を持ち上げる、および／または取り扱うための装置（２）に関係がある情報を提供するための完成された方法であって、前記装置（２）は、処理ユニット（４）と、表示機器（８）を伴うユーザインタフェース（６）とを備えるタイプであり、前記方法は、前記装置（２）の少なくとも１つの動作作業サイクルに関係があるデータを含む少なくとも１つの２次元行列バーコード（１２）が、前記装置（２）の前記表示機器（８）上に表示され、前記少なくとも１つの２次元行列バーコード（１２）が、前記処理ユニット（４）にロードされ、実行されるソフトウェアにより動的に生成され、前記装置（２）の前記少なくとも１つの動作作業サイクルに関係がある前記データが符号化されることを特徴とする方法。【選択図】図１
2019524595.tif 000002
【特許請求の範囲】
【請求項１】
荷物を、詳細には自動車および／または品物を持ち上げる、および／または取り扱うための装置（２）に関係がある情報を提供するための完成された方法であって、前記装置（２）は、処理ユニット（４）と、表示機器（８）を伴うユーザインタフェース（６）とを備えるタイプであり、前記方法は、前記装置（２）の少なくとも１つの動作作業サイクルに関係があるデータを含む少なくとも１つの２次元行列バーコード（１２）が、前記装置（２）の前記表示機器（８）上に表示され、前記少なくとも１つの２次元行列バーコード（１２）が、前記処理ユニット（４）にロードされ、実行されるソフトウェアにより動的に生成され、前記装置（２）の少なくとも１つの動作作業サイクルに関係がある前記データを符号化することを特徴とする方法。
【請求項２】
前記２次元行列バーコードは、データ行列コードおよび／またはＱＲコード（登録商標）であることを特徴とする、請求項１に記載の方法。
【請求項３】
前記装置（２）の少なくとも１つの動作作業サイクルに関係がある前記データは、前記動作作業サイクル中の、および／または前記動作作業サイクルが終了したときの、前記装置（２）の有効動作および／または動作状態に関係があるデータを備えることを特徴とする、請求項１または２に記載の方法。
【請求項４】
前記少なくとも１つの２次元行列バーコード（１２）は、前記装置（２）の前記有効動作／作業パラメータに関係がある前記データを符号化することにより動的に生成されることを特徴とする、請求項１〜３のいずれか一項に記載の方法。
【請求項５】
前記少なくとも１つの２次元行列バーコード（１２）は、前記装置（２）の前記動作作業状態に関係がある前記データを符号化することにより動的に生成されることを特徴とする、請求項１〜４のいずれか一項に記載の方法。
【請求項６】
前記少なくとも１つの２次元行列バーコード（１２）は、前記処理ユニット（４）にロードされ、実行される前記ソフトウェアによりリアルタイムで動的に生成される／符号化されることを特徴とする、請求項１〜５のいずれか一項に記載の方法。
【請求項７】
前記少なくとも１つの２次元バーコード（１２）は、前記装置（２）が具備するセンサが検出したパラメータの値を符号化することにより動的に生成されることを特徴とする、請求項１〜６のいずれか一項に記載の方法。
【請求項８】
前記少なくとも１つの２次元バーコード（１２）は、前記装置（２）が具備する前記センサが検出したデータから得た前記パラメータの前記値を符号化することにより動的に生成されることを特徴とする、請求項１〜７のいずれか一項に記載の方法。
【請求項９】
前記少なくとも１つの２次元行列バーコード（１２）は、操作者が必要とするときはいつでも再生成されることを特徴とする、請求項１〜８のいずれか一項に記載の方法。
【請求項１０】
前記少なくとも１つの２次元行列バーコード（１２）は、前記装置（２）の前記少なくとも１つの動作パラメータの状態が変化するときはいつでも自動的に再生成されることを特徴とする、請求項１〜９のいずれか一項に記載の方法。
【請求項１１】
前記少なくとも１つの２次元行列バーコード（１２）は、所定の頻度で自動的に再生成されることを特徴とする、請求項１〜１０のいずれか一項に記載の方法。
【請求項１２】
前記少なくとも１つの２次元行列バーコード（１２）は、前記装置（２）の前記作業サイクルが終了したときに自動的に再生成されることを特徴とする、請求項１〜１１のいずれか一項に記載の方法。
【請求項１３】
前記第１のソフトウェアモジュールが生成した前記少なくとも１つの２次元行列バーコード（１２）は、前記処理ユニット（４）に記憶されることを特徴とする、請求項１〜１２のいずれか一項に記載の方法。
【請求項１４】
前記装置（２）の前記作業サイクルに関係がある前記データを符号化することにより動的に生成される前記少なくとも１つの２次元行列バーコード（１２）を、前記処理ユニット（４）に記憶して、前記装置（２）の前記作業サイクルに関係がある前記データの記録を作成し、その結果、前記装置（２）の動作を経時的に監視することを特徴とする請求項１〜１３のいずれか一項に記載の方法。
【請求項１５】
前記少なくとも１つの２次元行列バーコード（１２）は、前記装置（２）の現在および／または最後の作業サイクルと前記装置自体の過去の作業サイクルの両方に関係があるデータを符号化することにより動的に生成されることを特徴とする、請求項１〜１４のいずれか一項に記載の方法。
【請求項１６】
前記少なくとも１つの２次元行列バーコード（１２）は、前記装置（２）の少なくとも１つの動作作業サイクルに関係がある前記データから始めて、遂行される数学的および／または統計的なタイプの計算および／または処理の結果を符号化することにより動的に生成されることを特徴とする、請求項１〜１５のいずれか一項に記載の方法。
【請求項１７】
前記少なくとも１つの２次元行列バーコード（１２）は、さらにまた前記装置（２）自体のデータおよび／または固定パラメータを符号化することにより動的に生成されることを特徴とする、請求項１〜１６のいずれか一項に記載の方法。
【請求項１８】
前記少なくとも１つの２次元行列バーコード（１２）は、前記装置（２）の前記表示機器（８）の単一の画面（１１）の中に完全に表示されることを特徴とする、請求項１〜１７のいずれか一項に記載の方法。
【請求項１９】
前記少なくとも１つの２次元行列バーコード（１２）は、前記装置（２）の前記表示機器（８）の複数の画面上に表示されることを特徴とする、請求項１〜１８のいずれか一項に記載の方法。
【請求項２０】
前記少なくとも１つの２次元行列バーコード（１２）が表示される、前記装置（２）の前記表示機器（８）の前記少なくとも１つの画面は、認証のステップの後にアクセスされることを特徴とする、請求項１〜１９のいずれか一項に記載の方法。
【請求項２１】
前記２次元行列バーコード（１２）は、光学的検出手段（１６）を具備する携帯型機器（１４）を用いて獲得されることを特徴とする、請求項１〜２０のいずれか一項に記載の方法。
【請求項２２】
−このようにして獲得した前記２次元行列バーコード（１２）は、前記携帯型機器（１４）にロードされ、実行される読取り／復号プログラムを用いて読み取られ／復号され、
−このようにして符号化され、前記２次元行列バーコード（１２）に含まれる前記データは、前記携帯型機器（１４）の表示装置（１５）上に整然とフォーマットされて表示される
ことを特徴とする、請求項１〜２１のいずれか一項に記載の方法。
【請求項２３】
−前記携帯型機器（１４）により獲得した前記２次元行列バーコード（１２）は、前記携帯型機器（１４）を用いて遠隔処理ユニット（２０）に送信され、
−前記２次元行列バーコード（１２）は、前記遠隔処理ユニット（２０）にロードされ、実行される読取り／復号プログラムを用いて、読み取られ／復号され、
−このようにして符号化され、前記２次元行列バーコード（１２）に含まれる前記データは、前記遠隔処理ユニット（２０）の表示装置（１７）上に整然とフォーマットされて表示される
ことを特徴とする、請求項１〜２２のいずれか一項に記載の方法。
【請求項２４】
−このようにして獲得した前記２次元行列バーコード（１２）は、前記携帯型機器（１４）にロードされ、実行される前記読取り／復号プログラムを用いて読み取られ／復号され、
−このようにして符号化され、前記２次元行列バーコード（１２）に含まれる前記データは、前記携帯型機器（１４）を用いて遠隔処理ユニット（２０）に送信され、
−このようにして受信され、前記２次元行列バーコード（１２）に含まれるデータに対応する前記データは、前記遠隔処理ユニット（２０）の前記表示装置（１７）上に整然とフォーマットされて表示される
ことを特徴とする、請求項１〜２３のいずれか一項に記載の方法。
【請求項２５】
前記２次元行列バーコード（１２）はまた、インターネットアドレスに対応するデータを含むこと、および前記読取り／復号プログラムを用いて前記２次元行列バーコード（１２）を読み取る／復号することにより、前記２次元行列バーコード（１２）に含まれる前記インターネットアドレスにより識別されるインターネットウェブサイトのページを前記表示装置（１５、１７）上に自動的に開くことを特徴とする、請求項１〜２４のいずれか一項に記載の方法。
【請求項２６】
復号された、前記２次元行列バーコード（１２）の中に含まれる前記データを入力で受信するソフトウェアモジュールは、前記遠隔処理ユニット（２０）に、および／または前記携帯型機器（１４）内部にロードされ、一連の記憶されたデータに基づき、および／または前記モジュール自体により遂行される、考えられる将来の自動処理に基づき、および／または前記操作者により遂行される処理に基づき、一連の有用な情報をユーザに出力し、この場合、前記一連の有用な情報は、前記携帯型機器（１４）の前記表示装置（１５）に適切に送信され、表示されることを特徴とする、請求項１〜２５のいずれか一項に記載の方法。
【請求項２７】
前記有用な情報は、前記装置（２）の較正および／または整備／修理に関係があることを特徴とする、請求項１〜２６のいずれか一項に記載の方法。
【請求項２８】
そのような有用な情報は、前記装置（２）の将来の挙動の予見を備えることを特徴とする、請求項１〜２７のいずれか一項に記載の方法。
【請求項２９】
荷物を、詳細には自動車および／または品物を持ち上げる、および／または動かすための装置（２）を制御するための、詳細には、較正および／または好ましくは予防保全のためのインフラストラクチャであって、前記装置は、処理ユニット（４）と、表示機器（８）を伴うユーザインタフェース（６）とを備え、前記装置（２）の前記処理ユニット（４）にソフトウェアをロードして、請求項１〜２０のいずれか一項に記載の方法を実装することを特徴とするインフラストラクチャ。
【請求項３０】
光学的検出手段（１６）を具備し、かつ請求項２１〜２８のいずれか一項に記載の方法を実装するように構成された携帯型機器（１４）をさらに備えることを特徴とする、請求項２９に記載のインフラストラクチャ。
【請求項３１】
請求項２１〜２８のいずれか一項に記載の方法を実装するように構成された遠隔処理ユニット（２０）をさらに備えることを特徴とする、請求項２９または３０に記載のインフラストラクチャ。
【発明の詳細な説明】
【技術分野】
【０００１】
本発明は、荷物を、詳細には自動車および／または品物を持ち上げるための装置に関係がある情報を提供するための、改善された方法に関する。
【背景技術】
【０００２】
操作者が自動車の下で整備および／または修理の動作を遂行するために、自動車自体の下部区域に到達することができるようになる、作業場で一般に使用される、自動車を持ち上げるための装置は、公知である。さらに、そのような持ち上げる装置はまた、自動式または非自動式の車両駐車システムだけではなく、品物を持ち上げる、および／または動かすために、建設工事で使用される。
【０００３】
現在、そのような装置は一般に、装置自体の状態または動作に関係があるメッセージの形で、場合によってはそのような信号メッセージを符号化して、対応する表示装置上に情報を表示するように構成され、この場合、メッセージの意味は、具体的なマニュアルに適切に記述されている。
【０００４】
したがって、動作不良の場合、操作者は、日常業務の整備動作中に装置の状態または動作に関係がある情報を遠隔サービスセンタに送信するために、口頭で、すなわち電話を介して、遠隔サービスセンタに装置の表示装置上に示されたメッセージを伝達しなければならない。
【０００５】
そのような手順はまた、時間がかかり、骨が折れることに加えて、さらにまた操作者に大きく依存し、詳細には、あまり熟練していない操作者の場合、間違う、または不正確になる危険性が高くなるので、どれだけ満足できないかを理解することは容易である。
【０００６】
直接、またはＢｌｕｅｔｏｏｔｈ（登録商標）経由で、インターネットを介してネットワーク接続にアクセスして、装置の動作状態に関係がある、対応する情報を遠隔サービスセンタに送信する装置もまた提案されてきた。
【０００７】
そのような解決手段もまた、作業場で、いかなる場合にも適切な専用インフラストラクチャを用意する必要がある適切なインターネット接続に装置を容易に接続することが常に可能であるわけではないので、完全に満足できるわけではない。さらに、そのような手順は、データ伝送に関して常に効率的であるわけでも、常に適切に保護されるわけでもない。
【０００８】
欧州特許出願公開第２９２７１８６号明細書は、産業に関連して一般に使用されるタイプのフォークリフト車を制御するための方法について記述しており、フォークリフト車は、図形表示装置、制御機器、およびフォークリフト車の動作および／または整備に必要な情報を記憶するメモリ要素を具備する。詳細には、そのような方法は、動作状態に、および／または産業上のフォークリフト車の故障に、および／またはフォークリフト車自体の入力機器を用いて操作者が送信するリクエストに基づき、制御機器が、メモリ要素（データベース）から、対応する有用な情報を抽出することを想定しており、この場合、情報は、バーコードの形でフォークリフト車の図形表示装置上に示される。詳細には、メモリ要素から抽出され、バーコードを作成するために使用される情報は、動作、作業、修理、および／または始動の指示、フォークリフト車の構成パラメータおよびデフォルト値、間違い／故障の回数、必要な予備部品、修理するための連絡先の参照、インターネットアドレス、およびアクセスコードなどの、固定データおよび固定値に関係する。
【０００９】
実質的に、欧州特許出願公開第２９２７１８６号明細書は、フォークリフト車の作業状態を使用して、フォークリフト車自体にローカルに存在するメモリ要素から対応する指示を抽出するために、そのようなメモリ要素に照会し、この場合、フォークリフト車上の画面に示されるバーコードを作成するために使用されるのは、これらの指示である。
【００１０】
そのような解決手段は、適切に構成し、フォークリフト車上にローカルに想定される記憶要素に問合せる必要があるので、かなり複雑である。さらに、そのような解決手段は、（たとえば、機械の構成パラメータに関係がある）静的情報を用いて、すなわち、メモリ要素に事前に記憶されるので経時的に不変の固定した静的情報を用いて、バーコードを作成することを想定している。
【００１１】
さらに、欧州特許出願公開第２９２７１８６号明細書では、各機械上にローカルに搭載されたメモリ要素から動作および整備の情報を抽出するという事実により、そのような情報を更新するステップは、一度に１台ずつ操作者が手作業で必ず遂行しなければならない、またはインターネットへの接続手段を装置自体に提供する必要があるので、かなり骨が折れ、複雑になり、上記で示した同じ欠点を伴う。
【先行技術文献】
【特許文献】
【００１２】
【特許文献１】欧州特許出願公開第２９２７１８６号明細書
【発明の概要】
【発明が解決しようとする課題】
【００１３】
本発明の目的は、詳細には自動車および品物からなる荷物を持ち上げるおよび／または取り扱うための装置の、状態および動作に関係がある情報およびデータを提供する、従来の方法に対して改善になりおよび／または代替となる、完成された方法を提案することである。
【００１４】
本発明の別の目的は、装置のデータを迅速で簡単に使い勝手よく獲得することができるようにする方法を提案することである。
【００１５】
本発明の別の目的は、装置に関係がある状態データを保護して安全に獲得および伝送することができるようにする方法を提案することである。
【００１６】
本発明の別の目的は、操作者に依存しない方法を提案することである。
【００１７】
本発明の別の目的は、装置の動作の予測分析を遂行することを可能にする方法を提案することである。
【００１８】
本発明の別の目的は、装置を較正する、および／または装置の予測整備を遂行することを可能にする方法を提案することである。
【００１９】
本発明の別の目的は、装置自体に影響を及ぼす操作者に従ってメッセージを複数の異なる言語に翻訳するのを回避する方法を提案することである。
【００２０】
本発明の別の目的は、機能と実装の両方に関して従来の機能と実装に代わる特徴づけを伴う方法を提案することである。
【００２１】
本発明の別の目的は、簡単で迅速に費用効果の高い手法で実装することができる方法を提案することである。
【課題を解決するための手段】
【００２２】
個々に取り上げても、任意の組合せでも、これらの目的すべて、および以下の記述から明らかになる他の目的は、本発明によれば、請求項１に記載の方法および請求項２８に記載のインフラストラクチャにより達成される。
【００２３】
添付図面を参照して、限定しない実際的な例としてだけ示す好ましい実施形態を用いて、本発明について説明する。
【図面の簡単な説明】
【００２４】
【図１】本発明による方法を実装するインフラストラクチャの概略図を示す。
【図２】本発明による装置のインタフェースの表示機器上に見えるメイン画面を示す。
【図３】本発明による装置のインタフェースの表示機器上に見える導入画面を示す。
【図４】本発明による方法で使用する移動体獲得機器の表示装置上に見える画面の一例を示す。
【発明を実施するための形態】
【００２５】
図に示すように、本発明による方法は、好ましくは機械的および構造的に、実質的に従来タイプの自動車および／または品物からなる荷物を持ち上げる、または取り扱う装置２を備える。
【００２６】
装置２は、好ましくは少なくとも１つのプロセッサを用いて実装される処理ユニット４と、ユーザインタフェース６とを備える。有利には、ユーザインタフェース６は、操作者が適切かつ容易に見ることができアクセスすることができる位置にあると想定される、またはそのような位置にある装置２と関連づけられる。
【００２７】
詳細には、ユーザインタフェース６は、表示機器（表示装置）８と、操作者が動作可能に活動化して、前記装置２を適切に制御することができる入力手段を具備する構成パネル１０とを備える。たとえば、ユーザインタフェース６は、タッチスクリーン、および／またはキーパッド／押しボタンパネルに関連する表示モニタを備えてもよい。
【００２８】
第１のソフトウェアモジュールが、装置の処理ユニット４にロードされ、このソフトウェアモジュールは、少なくとも１つの過去または現在の作業サイクルで装置の状態および／または有効動作に関係がある一連のデータを入力で受信し、２次元行列バーコード１２を動的に、かつ好ましくは実質的にリアルタイムで作成するように、一連のデータを符号化し、次いで、２次元行列バーコード１２は、装置自体のユーザインタフェース６の表示機器８上に表示される（図２を参照のこと）。詳細には、作業サイクルは、２つの連続する静止（すなわち、停止）状態の間に発生する、装置２の任意の動きを意味する。
【００２９】
適宜、２次元行列バーコード１２を規定する、含まれるデータは、現在もしくは過去の作業サイクル中の（たとえば、持ち上げ動作中の）装置２の有効動作に依存し関係があるパラメータの値、および／または装置２の現在もしくは過去の動作状態に依存し関係があるパラメータの値に関係がある。
【００３０】
実質的に、本発明によれば、装置２の状態および有効動作に関係があるデータは、ユーザインタフェース６の表示機器８上に表示される２次元バーコード１２に符号化される。換言すれば、２次元バーコード１２は、装置２の状態および有効動作を表すパラメータの値を含み、その値を使用して直接生成される。
【００３１】
したがって、２次元バーコード１２は、装置２が具備する対応するセンサ（たとえば、重量、速度、および位置）によりパラメータの値を検出したとき、パラメータの値を使用することにより、および／またはデータベースもしくは他のメモリ要素に照会することをまったく想定することなく、前記センサから始まり、処理され、得られたパラメータの値を使用することにより、作成される。詳細には、前記パラメータの値は、固定されておらず、それどころか、装置２の有効作業状態に従って変化し、したがって、第１のソフトウェアモジュールが生成する２次元バーコード１２もまた、それに応じて変化する。
【００３２】
詳細には、２次元行列バーコードは、「ＱＲコード（登録商標）」（「Ｑｕｉｃｋ  Ｒｅｓｐｏｎｓｅ（クイックレスポンス）」の頭字語）、または「データ行列」コード、または正方形もしくは長方形の形状のパターンで配列された黒色構成単位からなる任意の他の２次元バーコードを意味することに留意する価値がある。
【００３３】
適宜、２次元行列バーコード１２を使用することにより、２次元バーコード（行列）により規定され、かつ表示機器８の単一画面１１上に緻密に表示される単一の画像の中に複数のデータを安全に記憶することが可能になる。また適宜、２次元行列バーコード１２を、装置２の表示機器の複数の画面にわたり分割してもよい。
【００３４】
有利には、２次元行列バーコード１２は、処理ユニット４が実行するソフトウェアモジュールにより連続して自動的に再生成される。適宜、２次元行列バーコード１２は、操作者が必要とするときはいつでも、ユーザインタフェース６の表示機器８上に再生成されおよび／もしくは表示され、ならびに／または好ましくは、前記装置２の少なくとも１つの動作パラメータの状態が変化するときはいつでも、自動的に再生成される。
【００３５】
有利には、２次元行列バーコード１２は、たとえば約１０秒の事前設定されたリフレッシュ頻度で再生成される。バーコード１２は、好ましくは、装置２の各動作サイクルで、そのようなサイクルの間に、および／またはそのようなサイクルの終わりに、自動的に生成される。
【００３６】
有利には、第１のソフトウェアモジュールが生成する２次元行列バーコード１２は、ユーザインタフェース６の表示機器８上に表示されることに加えて、処理ユニット４に記憶される。適宜、２次元行列バーコード１２を記憶することにより、装置２の動作状態および作業機能の記録をとるための記憶空間もまた最適化される。
【００３７】
適宜、毎回生成され、修正される、装置２の状態および／または有効作業動作を表す２次元行列バーコード１２は、処理ユニットに記憶され、これにより、装置２を監視して、装置２の状態の記録を作成することが可能になる。
【００３８】
有利には、２次元行列バーコード１２は、装置２の状態および／または現在の作業動作に関係がある動作パラメータの値と、前述の動作パラメータの過去の値、すなわち、装置自体の状態および／または過去の作業動作に関係がある動作パラメータの値の両方を備える複数のデータに基づき、第１のソフトウェアモジュールにより生成される。
【００３９】
有利には、２次元行列バーコード１２は、装置２の状態および有効動作に関係があるデータから始めて、遂行される数学的（たとえば、補間）および／または統計的なタイプの計算および／または処理の結果を符号化することにより、第１のソフトウェアモジュールにより生成される。適宜、このために、処理ユニット４は、前述の数学的および／または統計的な計算および／または処理を遂行するためのソフトウェアモジュールを備える。
【００４０】
適宜、作業サイクル中の、装置２の状態および／または有効動作に関係があるデータは、第１のソフトウェアモジュールへの入力に送信され、その結果、２次元行列バーコード１２に含まれ、その結果２次元行列バーコード１２を規定するデータは、たとえば、以下を含む。
−圧力、速度、および／または作業サイクル中に到達した最大の高さ、
−持ち上げた荷物、および作業サイクル中に遂行したルート、
−作業サイクル中の、有効な縦の段数、
−作業サイクル中の、縦の段の活動化モード、すなわち、グループの形か、軸上か、
−作業サイクル中に発生した縦の段の間の不均衡、
−実際の位置決め（すなわち、作業サイクル中に達成した位置決め）と設定した位置決めの間の、縦の段の偏差、
−作業サイクル中のソレノイド弁の活動化回数、
−ソレノイド弁の状態、
−作業サイクル中に活動化したボタンの数、
−所与の時間窓で遂行した作業時間数、
−電池充電状態、および実際の再充電動作の回数。
【００４１】
有利には、２次元行列バーコード１２を規定する、含まれるデータはまた、機械の動作および動作状態に依存するパラメータに加えて、装置２に関係がある固定データ（たとえば、製造日、ファームウェアバージョン、ソフトウェア・アプリケーション・バージョン、製造番号など）、およびたとえば、接続方式（無線を介して、または有線を介して）、縦の段により到達することができる最大高さおよび最低高さの値、最大容量、縦の段の許される最大位置合わせ不良の値などのような、装置の較正パラメータなどの固定パラメータを備えてもよい。
【００４２】
適宜、適切に距離を置いて離され、画面自体の上に整然と配列された複数の２次元行列バーコード１２は、表示機器８の同じ画面１１上に表示されてもよいことがさらに理解される。
【００４３】
本発明による方法はまた、装置２のユーザインタフェース６の表示機器８上に表示された２次元行列バーコード１２をスキャンする、および／または獲得するための光学的検出手段１６，たとえばデジタルカメラを具備する、好ましくは携帯型の機器１４（携帯電話、スマートホン、タブレットなど）を必要とする。
【００４４】
有利には、前記検出手段１６を用いて機器自体により獲得した２次元行列バーコード１２の適切な読取り／復号プログラムを、機器１４のプロセッサにロードして、実行してもよい。
【００４５】
適宜、獲得機器１４にロードされ、実行される読取り／復号プログラムはまた、整然と適切にフォーマットされた２次元行列バーコードに含まれるデータを、機器自体の表示装置１５上に示すように構成されてもよい（図４を参照のこと）。たとえば、読取り／符号化手順は、さらにまたインターネットに接続する必要なしに（すなわち、オフラインで）スマートホンまたはタブレットにロードされ、実行される、適切な移動体ソフトウェアアプリケーション（ａｐｐ）である。
【００４６】
好ましくは、機器１４は、機器１４を用いて獲得した２次元行列バーコード１２を、遠隔サービスセンタに想定される遠隔処理ユニット２０に、たとえば遠隔コンピュータサーバに送信するための通信手段１８を具備する。詳細には、これらの通信手段は、（たとえばＧＭＳ、ＵＭＴＳ、ＧＰＲＳなどのような規格を用いる）移動体携帯電話技術および／またはインターネットを使用してもよい。
【００４７】
有利には、機器１４が送信する２次元行列バーコード１２の読取り／復号プログラムはまた、遠隔処理ユニット２０にロードされ、実行される。適宜、遠隔処理機器２０にロードされ、実行される読取り／復号プログラムは、遠隔処理ユニット２０に関連する表示装置１７上に、２次元行列バーコードに含まれるデータを整然と適切にフォーマットして示すように構成されてもよい。
【００４８】
有利には、２次元行列バーコード１２はまた、インターネットアドレスを含んでもよく、読取り／復号プログラムは、インターネットを介してｈｔｔｐプロトコルを用いて、前記２次元行列バーコードに含まれるインターネットアドレスに対応するインターネットサイトのページに操作者を自動的に行かせるように適切に構成されてもよい。好ましくは、２次元行列バーコード１２上に含まれ、２次元行列バーコード１２を規定するデータは、獲得機器１４または遠隔処理ユニットの表示装置上に表示されるそのようなインターネットページ上に整然と適切にフォーマットされて表現される。
【００４９】
有利には、２次元行列バーコード読取り／復号プログラムに加えて、第２のソフトウェアモジュールが、遠隔処理ユニット２０に、および／または携帯型機器１４にロードされ、実行される。この第２のソフトウェアモジュールは、２次元行列バーコード１２に含まれる、復号されたデータを入力で受信し、たとえば、データベースに記憶され、含まれる一連のデータに基づき、および／またはモジュール自体が遂行する、考えられる別の自動処理に基づき、および／または操作者が遂行する処理に基づき、一連の有用な情報をユーザに出力し、この場合、一連の有用な情報は、適切に送信され、機器１４の表示装置１５上に表示される。有利には、そのような情報は、たとえば、遂行すべき較正および／または整備の動作に関係する。適宜、前述のデータを分析することにより得られるそのような情報はまた、装置２の将来の挙動を予見してもよい。
【００５０】
適宜、２次元行列バーコード１２が表示される、装置２のユーザインタフェース６の表示機器８のメイン画面に操作者がアクセスするには、操作者の正しい認証が必要とされる。これには、操作者自身が、たとえばユーザインタフェース６の入力手段１０を用いて、適切な認証パスワードを入力する必要がある、導入画面１３（図３を参照のこと）がたとえば用いられる。、
【００５１】
適宜、たとえば製造日、現在の装置の製造番号および型式、以前の装置の製造番号および取替日などのような、装置自体に関係があり操作者に有用な１つまたは複数の一般的データもまた、従来の手法で、すなわち、英数字を用いて、その結果、２次元バーコードを用いる符号化を使用することなく、機器２のユーザインタフェース６の表示機器８の画面上に表示してもよい。
【００５２】
有利には、本発明による方法は、作業場、または自動式あるいは非自動式車両駐車システム、またはより一般に品物を持ち上げ動かす場において、荷物を持ち上げおよび／または取り扱うための一つまたは複数の装置に情報を提供するために、使用されてもよい。
【００５３】
上記から、本発明による方法は、以下の理由で、従来の方法よりも有利であることは明らかである。
＿装置の状態および／または有効作業動作に関係があるデータの獲得を、装置の通常動作中にも遂行してもよく、その結果、装置を停止させる必要をなくし、むしろ、獲得することができるデータの質、量、および関連性を高める、
＿本発明による方法は、装置自体の専用インターネットインフラストラクチャを作業場または設置環境に実装する必要がないので、コストを低減する、
＿本発明による方法は、市場にすでに普通に見いだされる、入手可能な価格の獲得機器を使用する、
＿本発明による方法はまた、本来、固定ネットワークに接続することが困難な移動体機器上で使用することができる、
＿本発明による方法は、資格のない操作者によっても、動作不良をリアルタイムで簡単に識別し、解決することができるようにし、詳細には、装置の画面上にテキストメッセージをまったく示さないため、そのようなメッセージを、装置自体に物理的に影響を及ぼす操作者が知っている言語に翻訳する必要がない、
＿本発明による方法により、装置の状態および有効動作を表すパラメータに関係がある情報だけではなく、パラメータ自体の考えられる記録に関係がある情報も容易に獲得することが可能になる。
【００５４】
詳細には、２次元バーコードを作成するために使用する、対応する固定した、事前に記憶された情報を抽出するために、装置の動作状態のデータを使用してローカルデータベースに照会する欧州特許出願公開第２９２７１８６号明細書と異なり、本発明による解決手段では、１つまたは複数の作業サイクル中に、装置の過去および現在の状態および有効動作に関係があるデータを使用して、２次元バーコードを直接生成する。これは、本発明による解決手段が、装置自体にローカルに搭載されるハードウェアおよびソフトウェアの構成を簡略化することを可能にし、処理および／または遠隔サービスを用いて、考えられる間違いの状況または動作不良の開始を予測するために、とりわけ装置の現在の動作状態および履歴を監視することを可能にするので、特に有利である。さらに、本発明によれば、２次元バーコードを用いて外部に向けて装置自体が送信するデータ／徴候に基づき、整備および／または較正の指示が装置の外側で規定され／得られ、これにより、そのような指示を更新するステップがかなり簡略化される。
【図１】
2019524595.tif 000003
【図２】
2019524595.tif 000004
【図３】
2019524595.tif 000005
【図４】
2019524595.tif 000006
【国際調査報告】
2019524595.tif 000007
2019524595.tif 000008
2019524595.tif 000009